(57)【特許請求の範囲】
【請求項１】
水、水溶性有機溶媒及び着色剤を少なくとも含有するインクジェット記録液において、該着色剤として下記一般式（２）で表される実質的に水に不溶な化合物の少なくとも１種を含有することを特徴とするインクジェット記録液。
【化Ａ】
0003835060.tif 000037
〔式中、Ａ2、Ａ3は各々異なっていてもよい、少なくとも−ＮＲ5Ｒ6を置換基として有する複素環を表す。Ｒ5、Ｒ6は各々異なっていてもよい水素、アルキル基、アリール基又はヘテロ環基を表す。Ｒ7、Ｒ8は各々異なっていてもよいシアノ基又はアシル基を表す。Ｅは２価の連結基を表す。〕
【請求項２】
前記一般式（２）におけるＡ2、Ａ3の複素環がピリジン環、ピラジン環、ピリミジン環、ピリダジン環、ピロール環、チオフェン環、フラン環、イミダゾール環、チアゾール環又はオキサゾール環を表し、いずれも環内の炭素原子がイミノ窒素と結合していることを特徴とする請求項１に記載のインクジェット記録液。
【発明の詳細な説明】
【０００１】
【産業上の利用分野】
本発明はインクジェット記録方式に用いるインクジェット記録液に関する。
【０００２】
【従来の技術】
インクジェット記録液に用いるインクジェットインクには、その使用される記録方式に適合すること、高い記録画像濃度を有し色調が良好であること、耐水性は耐熱性といった色画像堅牢性に優れること、被記録媒体に対して定着が速く記録後滲まないこと、安価であること等が要求されている。このような要求に対し、種々の記録用色素化合物や記録液が提案、検討されているが、要求の多くを同時に満足するようなものは極めて限られている。特に、近年、画像保存性の観点から光堅牢性の要求が多く、また、要求されるレベルも高いものとなってきている。
色調良好な分光吸収特性に優れた色素として、特開平４−２３６２６８号公報、特開平４−２５２２７１号公報に記載のアゾメチン化合物、銀塩写真用色素として公知なマロン酸アニライドから得られるアゾメチン化合物があるが、未だその光堅牢性はインクジェット記録に要求される高いレベルを必ずしも満足させるものではない。
本発明者らは上記のアゾメチン化合物の光堅牢性の問題を解決するため、鋭意研究を重ねた結果、従来の液媒体に可溶なアゾメチン色素を液媒体に溶解して得た記録液とは異なり、上記アゾメチン化合物のｐ−フェニレンジアミン部位を特定のヘテロ環基とし、さらに、液媒体に実質的に不溶な特定のアゾメチン色素を液媒体中に分散した着色剤を用いることにより、色画像の堅牢性に優れ、良好な色再現性のための色調に優れたインクジェット記録液が得られることを見出した。
【０００３】
【発明が解決しようとする課題】
本発明の目的は、色画像の光堅牢性に優れ、良好な色再現性のための色調に優れたインクジェット記録液を提供することにある。
【０００４】
【課題を解決するための手段】
本発明の上記目的は、
（１）水、水溶性有機溶媒及び着色剤を少なくとも含有するインクジェット記録液において、該着色剤として下記一般式（２）で表される実質的に水に不溶な化合物の少なくとも１種を含有することを特徴とするインクジェット記録液、
【化Ｂ】
0003835060.tif 000002
〔式中、Ａ2、Ａ3は各々異なっていてもよい、少なくとも−ＮＲ5Ｒ6を置換基として有する複素環を表す。Ｒ5、Ｒ6は各々異なっていてもよい水素、アルキル基、アリール基又はヘテロ環基を表す。Ｒ7、Ｒ8は各々異なっていてもよいシアノ基又はアシル基を表す。Ｅは２価の連結基を表す。〕
（２）上記一般式（２）におけるＡ2、Ａ3の複素環がピリジン環、ピラジン環、ピリミジン環、ピリダジン環、ピロール環、チオフェン環、フラン環、イミダゾール環、チアゾール環又はオキサゾール環を表し、いずれも環内の炭素原子がイミノ窒素と結合していることを特徴とする１に記載のインクジェット記録液により達成される。
なお、本発明を説明する上で、下記一般式（１）をまず下記の如く説明する。
【０００５】
【化３】
0003835060.tif 000003
【０００６】
〔式中、Ａ1は少なくとも−ＮＲ1Ｒ2を置換基として有する複素環を表す。Ｒ1、Ｒ2は各々異なっていてもよい水素、アルキル基、アリール基又はヘテロ環基を表す。また、Ｒ1とＲ2はＲ1とＲ2が協同して環を形成するものであってもよい。Ｒ3はシアノ基、カルバモイル基又はアシル基を表す。Ｒ4はアリール基、ヘテロ環基又はアミノ基を表す。〕
【００１１】
Ａ1で表される少なくとも−ＮＲ1Ｒ2を置換基として有する複素環であればよく、複素環としては、ピリジン環、ピラジン環、ピリミジン環、ピリダジン環、ピロール環、チオフェン環、フラン環、イミダゾール環、チアゾール環又はオキサゾール環はさらに置換可能な置換基を有していてもよく、この場合の置換基としてはハロゲン原子（例えば、塩素原子、臭素原子、フッ素原子等）、アルキル基（例えばメチル基、エチル基、プロピル基、イソプロピル基等）、アリール基（例えば、フェニル基、ナフチル基等）、アルコキシ基（例えば、メトキシ基、エトキシ基等）、アリールオキシ基（例えば、フェノキシ基、ナフチルオキシ基等）、アルキルチオ基（例えば、メチルチオ基、エチルチオ基等）、アリールチオ基（例えば、フェニルチオ基、ナフチルチオ基等）、カルバモイル基（例えば、メチルカルバモイル基、ジメチルカルバモイル基、エチルカルバモイル基、ジエチルカルバモイル基等）、スルファモイル基（例えば、メチルスルファモイル基、ジメチルスルファモイル基、エチルスルファモイル基、ジエチルスルファモイル基等）、アシルアミノ基（例えば、アセチルアミノ基、ベンゾイルアミノ基等）、スルホンアミド基（例えば、メチルスルフォニルアミド基、ベンゼンスルフォニルアミド基等）、アルキルオキシカルボニル基（例えば、メトキシカルボニル基、エトキシカルボニル基等）、アリールオキシカルボニル基（例えば、フェノキシカルボニル基、ナフチルオキシカルボニル基等）、ニトロ基、シアノ基、水酸基、アミノ基、アルキルアミノ基（例えば、メチルアミノ基、ジメチルアミノ基、エチルアミノ基、ジエチルアミノ基等）、アリールアミノ基（例えば、アニリノ基、ナフチルアミノ基等）が挙げられる。
【００１２】
Ａ1としては、ピリジン環、ピラジン環、ピリミジン環又はピリダジン環が好ましい。
【００１３】
Ｒ1、Ｒ2で表されるアルキル基としては、例えばメチル基、エチル基、ヒドロキシエチル基、メタンスルホニルアミノエチル基、シアノエチル基等が挙げられ、アリール基としては、例えば、フェニル基、ナフチル基が挙げられ、これらは置換基を有していもよく、この場合の置換基としては前記Ａ1に置換可能な置換基として説明した基等が挙げられ、ヘテロ環基としては、例えば、ピリジル基、チエニル基、フリル基、ピリル基、オキサゾイル基、イミダゾイル基、チアゾイル基等が挙げられ、これらは置換基を有していてもよく、この場合の置換基としては前記Ａ1に置換可能な置換基として説明した基等が挙げられる。
【００１４】
Ｒ1、Ｒ2は、Ｒ1とＲ2が協同して環を形成するものであってもよいが、Ｒ1とＲ2が協同して形成する環としては、例えば、置換基を有していてもよいピペリジノ基、ピロリジノ基、ピペラジノ基、モルホリノ基等が挙げられる。
【００１５】
Ｒ1、Ｒ2としてはアルキル基が好ましい。
【００１６】
−ＮＲ1Ｒ2の置換位置としては、Ａ1がピリジン環、ピラジン環、ピリミジン環又はピリダジン環の場合は、イミノ窒素との結合炭素に対して4位、ピロール環、チオフェン環、フラン環、イミダゾール環、チアゾール環又はオキサゾール環の場合は、イミノ窒素との結合炭素に対して3位に置換されていることが好ましい。
【００１７】
Ｒ3で表されるアシル基としては、例えばアルカノイル基（例えば、置換されていてもよいアセチル基、プロピオニル基、ブチリル基、イソブチリル基、ペンタノイル基、イソペンタノイル基、ネオペンタノイル基等）、アロイル基（例えば、置換されていてもよいベンゾイル基、ナフトイル基等）、ヘテロアロイル基（例えば、置換されていてもよいピリドイル基、チエノイル基、ピロイル基、フロニル基等）が挙げられ、カルバモイル基としては例えばアルキルカルバモイル基（例えば、メチルカルバモイル基、エチルカルバモイル基等）、アリールカルバモイル基（例えば、フェニルカルバモイル基、ナフチルカルバモイル基等）、ヘテロアリールカルバモイル基（例えば、ピリジルカルバモイル基、チエニルカルバモイル基、フリルカルバモイル基、ピリルカルバモイル基等）が挙げらる。
【００１８】
Ｒ3としてはシアノ基、アシル基が好ましい。
【００１９】
Ｒ4で表されるアリール基としては、例えばフェニル基、ナフチル基が挙げられ、これらは置換されていてもよく、この場合の置換基としては前記Ａ1に置換可能な置換基として説明した基等が挙げられ、ヘテロ環基としては例えばピリジル基、チエニル基、フリル基、ピリル基、オキサゾイル基、イミダゾイル基、チアゾイル基等が挙げられ、これらは置換基を有していてもよく、この場合の置換基としては前記A1に置換可能な置換基として説明した基等が挙げられ、アミノ基としては例えば、アルキルアミノ基（例えば、メチルアミノ基、ジメチルアミノ基、エチルアミノ基、ジエチルアミノ基等）、アリールアミノ基（例えば、フェニルアミノ基、ナフチルアミノ基等）、ヘテロアリールアミノ基（例えば、ピリジルアミノ基、チエニルアミノ基、フリルアミノ基、ピリルアミノ基、イミダゾイルアミノ基、ベンズイミダゾイルアミノ基、ベンズイミダゾロニルアミノ基、フタルイミジルアミノ基等）等が挙げられる。
【００２０】
Ｒ4としてはアミノ基が好ましく、アリールアミノ基が最も好ましい。
【００２１】
次に下記一般式（２）で表わされる色素について説明する。
【００２２】
【化５】
0003835060.tif 000004
【００２３】
〔式中、Ａ2、Ａ3は各々異なっていてもよい、少なくとも−ＮＲ5Ｒ6を置換基として有する複素環を表す。Ｒ5、Ｒ6は各々異なっていてもよい水素、アルキル基、アリール基又はヘテロ環基を表す。Ｒ7、Ｒ8は各々異なっていてもよいシアノ基又はアシル基を表す。Eは２価の連結基を表す。〕
一般式（２）において、Ａ2、Ａ3で表される少なくとも−ＮＲ5Ｒ6を置換基として有する複素環は、一般式（１）のＡ1で表される少なくとも−ＮＲ1Ｒ2を置換基として有する複素環と同義であり、さらに置換可能な置換基を有していてもよく、この場合の置換基としては前記一般式（１）のＡ1の置換基の説明で記載した基等が挙げられる。
【００２４】
Ａ2、Ａ3としては、ピリジン環、ピラジン環、ピリミジン環又はピリダジン環が好ましい。
【００２５】
Ｒ5、Ｒ6で表されるアルキル基、アリール基、ヘテロ環基の具体例としては、前記一般式（１）のＲ1、Ｒ2の説明で記載した基等が挙げられる。
【００２６】
Ｒ5、Ｒ6としてはアルキル基が好ましい。
【００２７】
−ＮＲ5Ｒ6の置換位置としては、Ａ1がピリジン環、ピラジン環、ピリミジン環又はピリダジン環の場合は、イミノ窒素との結合炭素に対して4位、ピロール環、チオフェン環、フラン環、イミダゾール環、チアゾール環又はオキサゾール環の場合は、イミノ窒素との結合炭素に対して3位に置換されていることが好ましい。
【００２８】
Ｒ7、Ｒ8で表されるアシル基は前記一般式Ｒ3で表されるアシル基と同義であり、その具体例としては前記一般式（１）のＲ3で表されるカルバモイル基、アシル基の説明で記載した基等が挙げられる。
【００２９】
Ｒ7、Ｒ8としてはシアノ基又はアシル基が好ましい。
【００３０】
Eで表される２価の連結基としては、例えば、アルキレン基（例えばエチレン基等）、アリーレン基（例えば、フェニレン基、ナフチレン基等）、２価の複素環基（例えば、ピリジル基、チエニル基、フリル基、ピリル基等）等が挙げられる。
【００３１】
Eで表される２価の連結基としてはアリーレン基が好ましい。
【００３２】
上記一般式（１）及び一般式（２）で表わされる色素は水に実質的に不溶な色素であるが、水に実質的に不溶であるとは、pH４〜１０の水に対する溶解度（２５℃）が１重量％以下であることをいう。
【００３３】
上記一般式（１）、及び一般式（２）で表わされる色素（以下、一般式（２）で表される色素を本発明の色素ということもある。）を水に実質的に不溶とするためには、置換基として、例えば、スルホン酸基、カルボキシル基及びその塩等の水溶性基を置換基として有していないことが好ましい。以下に、一般式（１）及び一般式（２）で表わされる色素の具体的例示化合物を示すが、これらの記載は本発明を限定するものではない。
【００３４】
【化６】
0003835060.tif 000005
【００３５】
【化７】
0003835060.tif 000006
【００３６】
【化８】
0003835060.tif 000007
【００３７】
【化９】
0003835060.tif 000008
【００３８】
【化１０】
0003835060.tif 000009
【００３９】
【化１１】
0003835060.tif 000010
【００４０】
【化１２】
0003835060.tif 000011
【００４１】
【化１３】
0003835060.tif 000012
【００４２】
【化１４】
0003835060.tif 000013
【００４３】
【化１５】
0003835060.tif 000014
【００４４】
【化１６】
0003835060.tif 000015
【００４５】
【化１７】
0003835060.tif 000016
【００４６】
【化１８】
0003835060.tif 000017
【００４７】
【化１９】
0003835060.tif 000018
【００４８】
【化２０】
0003835060.tif 000019
【００４９】
【化２１】
0003835060.tif 000020
【００５０】
【化２２】
0003835060.tif 000021
【００５１】
【化２３】
0003835060.tif 000022
【００５２】
【化２４】
0003835060.tif 000023
【００５３】
【化２５】
0003835060.tif 000024
【００５４】
【化２６】
0003835060.tif 000025
【００５５】
【化２７】
0003835060.tif 000026
【００５６】
【化２８】
0003835060.tif 000027
【００５７】
【化２９】
0003835060.tif 000028
【００５８】
【化３０】
0003835060.tif 000029
【００５９】
【化３１】
0003835060.tif 000030
【００６０】
【化３２】
0003835060.tif 000031
【００６１】
また、本発明の化合物を、水または適当な有機溶媒中で適当なロジンセッケンあるいは界面活性剤の添加下で６０〜１９０℃で１〜１０時間熱処理することにより、さらに耐光性を付与させることもできる。
この場合の適当な有機溶媒とは例えばメタノール、エタノール、プロパノール、アセトニトリル、エチレングリコール等である。
【００６２】
本発明のインクジェット記録液で用いる水溶性有機溶剤の例としては、アルコール類（例えばメタノール、エタノール、プロパノール、ブタノール、イソブタノール、セカンダリーブタノール、ターシャリーブタノール、ペンタノール、ヘキサノール、シクロヘキサノール、ベンジルアルコール等）、多価アルコール類（例えばエチレングリコール、ジエチレングリコール、トリエチレングリコール、プロピレングリコール、ジプロピレングリコール、ブチレングリコール、ヘキサンジオール、ペンタンジオール、グリセリン、ヘキサントリオール、チオジグリコール等）、多価アルコールエーテル類（エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、アミン類（例えばエタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、ジチレントリアミン、トリエチレンテトラミン、テトラエチレンペンタミン、ポリエチレンイミン、ペンタメチルジエチレントリアミン、テトラメチルプロピレンジアミン等）、アミド類（例えばホルムアミド、Ｎ，Ｎ−ジメチルホルムアミド等）、複素環類（例えば２−ピロリドン、Ｎ−メチル−２−ピロリドン、シクロヘキシルピロリドン、２−オキサゾリドン、１，３−ジメチル−２−イミダゾリジノン等）、スルホキシド類（例えばジメチルスルホキシド等）、スルホン類（例えばスルホラン等）、尿素、アセトニトリル、アセトン等があげられる。
【００６３】
本発明の色素を液媒体への分散を安定化させるために分散剤を使用することができる。分散剤は、一種類の分散剤を使用してもよく、また、複数の分散剤を使用してもよい。これら分散剤としては、アニオン性界面活性剤（例えば、カルボン酸塩、単純アルキルスルフォネート、変性アルキルスルフォネート、アルキルアリルスルフォネート、アルキル硫酸エステル塩、硫酸化油、硫酸エステル、硫酸化脂肪酸モノグリセライド、硫酸化アルカノールアミド、硫酸化エーテル、アルキル燐酸エステル塩、アルキルベンゼンスルホン酸塩等）、カチオン性界面活性剤（例えば、単純アミン塩、変性アミン塩、テトラアルキル第４級アンモニウム塩、変性トリアルキル第４級アンモニウム塩、トリアルキルベンジル第４級アンモニウム塩、変性トリアルキルベンジル第４級アンモニウム塩、アルキルピリジニウム塩、変性アルキルピリジニウム塩、アルキルキノリニウム塩、アルキルフォスフォニウム塩等）、両性界面活性剤（例えば、ベタイン、スルフォベタイン、サルフェートベタイン等）、ノニオン性界面活性剤（例えば、脂肪酸モノグリセリンエステル、脂肪酸ポリグリコールエステル、脂肪酸ソルビタン酸エステル、脂肪酸蔗糖エステル、脂肪酸アルカノールアミド、脂肪酸ポリエチレングリコール縮合物、脂肪酸アミドポリエチレングリコール縮合物、脂肪酸アルコールポリエチレングリコール縮合物、脂肪酸アミンポリエチレングリコール縮合物、脂肪酸メルカプタンポリエチレングリコール縮合物、アルキルフェノールポリエチレングリコール縮合物、ポリプロピレングリコールポリエチレングリコール縮合物等）があげられる。
【００６４】
本発明においては、インクジェット記録液の被記録媒体への定着性を良好にするため、あるいは分散剤として、水溶性高分子を加えることもできる。水溶性高分子としては、合成高分子類（例えば、ポリビニルアルコール、ポリビニルピロリドン、ポリビニルメチルエーテル、ポリエチレンオキシド、ポリエチレングリコール、ポリプロピレングリコール、ポリアクリルアミド、ポリアミンサルホン、ビニルアルコール−酢酸ビニル共共重合体、ポリアクリル酸塩、ポリビニル硫酸塩、ポリ（４−ビニルピリジン）塩、ポリアリルアミン塩、縮合ナフタレンスルホン酸塩、スチレン−メタクリル酸塩共重合体、スチレン−アクリル酸塩共重合体、アクリル酸エステル−アクリル酸塩共重合体、アクリル酸エステル−メタクリル酸塩共重合体、メタクリル酸エステル−メタクリル酸塩共重合体、スチレン−イタコン酸塩共重合体、イタコン酸エステル−イタコン酸塩共重合体、ビニルナフタレン−イタコン酸塩共重合体等）、セルロース誘導体（例えば、メチルセルロース、ヒドロキシエチルセルロース、エチルヒドロキシエチルセルロース、ヒドロキシプロピルメチルセルロース、ヒドロキシプロピルセルロース、カルボキメチルセルロース塩、ビスコース等）、でんぷん誘導体（例えば、ヒドロキシアルキルでんぷん、酢酸でんぷん、架橋でんぷん、デキストリン、カチオンでんぷん、リン酸でんぷん、カルボキシメチルでんぷん塩等）、天然高分子類（例えば、アルギン酸塩、ゼラチン、アルブミン、ガゼイン、アラビアゴム、トンガントゴム、リグニンスルホン酸塩等）があげられる。
【００６５】
さらに本発明のインクジェット記録液には、吐出安定性、プリントヘッドやインクカートリッジへの適合性、保存安定性、画像保存性、その他諸性能向上の目的として、それぞれの目的に適合する、粘度調整剤、表面張力調整剤、比抵抗調整剤、皮膜形成剤、分散剤、紫外線吸収剤、酸化防止剤、退色防止剤、防腐剤、防かび剤、防錆剤等を添加することもできる。
【００６６】
防腐剤、防かび剤の好ましい具体例としては、安息香酸ナトリウム、ペンタクロロフェノールナトリウム、２−ピリジンチオール−１−オキサイドナトリウム、ソルビン酸ナトリウム、デヒドロ酢酸ナトリウム、１，２ジベンゾソチアゾリン−３−オン（ゼネカ社のプロキセルＣＲＬ、プロキセルＢＤＮ、プロキセルＧＸＬ、プロキセルＴＮ、プロキセルＬＶ）、４−クロロ−３−メチルフェノール（バイエル社のプリベントールＣＭＫ等）等があげられる。
【００６７】
本発明のインクジェット記録液は、各種の方法で製造することができる。例えば、インクジェット記録液成分を混合し、これをコロイドミル、ボールミル、サンドミル、ビーズミル、三本ロールミル等の従来より公知の分散方法により混合摩砕することにより得られる。また、必要に応じてろ過して使用してもよい。
【００６８】
本発明の色素を適当な有機溶媒に溶解後、適当な分散剤や水溶性高分子を溶解した水中に滴下し溶媒を留去又はそのまま分散して記録液を製造することもできる。
【００６９】
着色剤の粒子径は平均粒径が４００ｎｍが好ましく、２５０ｎｍ以下がより好ましい。
【００７０】
本発明の色素は以下の一般式（３）の化合物と銀塩写真用カプラーとして公知なアシル酢酸アニライド化合物を酸化カップリングすること、または一般式（４）の化合物と銀塩写真用カプラーとして公知なアシル酢酸アニライド化合物を脱水縮合することで製造することができる。
【００７１】
【化３３】
0003835060.tif 000032
【００７２】
〔式中、Ａ4は一般式（１）におけるＡ1と同義、Ｒ9、Ｒ10は一般式（１）におけるＲ1、Ｒ2と同義である。〕
【００７３】
【化３４】
0003835060.tif 000033
【００７４】
〔式中、Ａ5は一般式（１）におけるＡ1と同義、Ｒ11、Ｒ12は一般式（１）におけるＲ1、Ｒ2と同義である。〕
酸化カップリングは適当な有機溶媒中で行うことができるが、本発明の色素を製造にあたりアシル酢酸アニライド化合物の溶解性が低い場合は、適当なアルカリ溶液（例えば、ＳＭ−２８（２８％ナトリウムメトキシド-メタノール溶液  東京化成（株）製））に溶解して酸化カップリングにより製造することもできる。
【００７５】
【実施例】
実施例により本発明を更に具体的に説明するが、本発明はこの実施例における形態に限定されるものではない。
【００７６】
表１に記載の組成で、色素、分散剤、イオン交換水を混合、サンドミルにて分散することにより、各色素の分散液を得た。さらにこの分散液を表２の組成で、分散液、イオン交換水、水溶性有機溶媒、界面活性剤を混合して、本発明のインクジェット記録液を作成した。本発明のインクジェット記録液をインクジェットプリンタＭＪ−５０００Ｃ（セイコーエプソン株式会社製）によって、インクジェット用専用コート紙及び非コート紙として一般に事務用品として使用される普通紙である中性再生紙（コニカコピーペーパー コニカ（株）製）上に記録したイエロー画像サンプルを得た。このサンプルを用いて、下記のように定義した耐光性、色調の評価を行った結果を表１に示す。
耐光性の評価
濃度計ＰＤＡ−６５（コニカ（株）製）青色光による反射濃度の測定した。また、キセノンフェードメーターにて４８時間曝射した後の試料を用い、同様にして反射濃度の測定をし、下記により色素残存率（％）を求め、下記評価基準により耐光性を評価した。
色素残存率（％）＝（D÷D0）×１００
なお、D0は未曝射試料の青色光反射濃度、Dは曝射試料の青色光反射濃度である。
−評価基準−
○：４８時間曝射後の耐光性（％）が９０％以上の場合
△：４８時間曝射後の耐光性（％）が８０％以上９０％未満の場合
×：４８時間曝射後の耐光性（％）が８０％未満の場合
評価が○である場合、良好なイエロー画像であることを示す。
色調の評価
濃度計ＰＤＡ−６５（コニカ（株）製）を用いて青色光、緑色光、赤色光における反射濃度を測定し、下記により不正吸収率（％）を求め、下記評価基準により色調を評価した。
不正吸収率（％） ＝〔（G＋R）÷（B）〕× 100
なお、Gは緑色光反射濃度、Rは赤色反射濃度、Bは青色光反射濃度である。
−評価基準−
○：不正吸収率が0.45未満
×：不正吸収率が0.45以上
評価が○である場合、緑色光及び赤色光に不正吸収の少ない良好なイエロー画像が得られたことを表わす。
【００７７】
比較例１は色素を比較化合物１として実施例と同様な方法で記録液を作成した。比較例２は色素を比較化合物２として表２に記載の組成で混合溶解しインクジェット記録液とした。
表中の比較化合物１、比較化合物２及び界面活性剤１の構造を下記に示す。なお、表１の各化合物の単位はインクジェット記録液における重量％である。
【００７８】
【化３５】
0003835060.tif 000034
【００７９】
【表１】
0003835060.tif 000035
【００８０】
【表２】
0003835060.tif 000036
【００８１】
表２の結果から明らかなように、本発明のインクジェット記録液は比較のインクジェット記録液を使用した場合に比較してインクジェット専用コート紙及び非コート紙である普通紙のいずれにおいても耐光性、色調に優れていることがわかる。これに対し、比較の色素を用いたインクジェット記録液は耐光性において劣っていた。
【本発明の効果】
本発明によるインクジェット記録液は耐光性、色調が共に優れた色画像を得ることができる。